(57)【要約】【課題】複雑な検出系または光学系を用いることなく、被検査物に含まれる欠点の種類を高精度に検出することが可能な被検査物の検査方法、被検査物の検査装置およびガラス板の製造方法の提供。【解決手段】第一検査光を被検査物の一方の面に照射すると共に、第二検査光を被検査物のうち一方の面とは異なる他方の面に照射し、第一検査光および第二検査光の一方が被検査物を透過した透過光成分と、第一検査光および第二検査光の他方が被検査物で反射した反射光成分とが重なった光を第一波長、第二波長および第三波長毎に光検出器によって検出し、光検出器によって検出された透過光成分および反射光成分の検出結果のうち第一波長の光、第二波長の光および第三波長の光についての個別の検出結果に基づいて被検査物に存在する欠点に関する情報を取得する。【選択図】図５
2014240832.tif 000002
【特許請求の範囲】
【請求項１】
板状透明体からなる被検査物に検査光を照射して光検出器によって前記被検査物に存在する欠点を検出する被検査物の検査方法において、
前記検査光は、第一波長、第二波長および第三波長を含む少なくとも３種類の波長の光で構成され、
前記第一波長の光によって形成される第一波長の照射パターンと当該第一波長の照射パターンと異なるパターンを有する前記第二波長の光によって形成される第二波長の照射パターンとを組み合わせて形成された第一照射パターンを含む第一検査光と、前記第三波長の光で形成された第二照射パターンを含む第二検査光とからなり、
前記第一検査光を前記被検査物の一方の面に照射すると共に、前記第二検査光を前記被検査物のうち前記一方の面とは異なる他方の面に照射するステップと、
前記第一検査光または前記第二検査光の一方が前記被検査物を透過した透過光成分と、前記第一検査光または前記第二検査光の他方が前記被検査物で反射した反射光成分とが重なった光を、前記第一波長、第二波長および第三波長毎に前記光検出器によって検出するステップと、
前記光検出器によって検出された前記透過光成分および前記反射光成分の検出結果のうち前記第一波長の光、前記第二波長の光および前記第三波長の光についての個別の検出結果に基づいて前記被検査物に存在する欠点に関する情報を取得するステップと、
を含むことを特徴とする被検査物の検査方法。
【請求項２】
前記透過光成分は、前記第一検査光によるものであり、前記反射光成分は、前記第二検査光によるものである、請求項１に記載の被検査物の検査方法。
【請求項３】
前記３種類の波長の光は、赤色光、緑色光および青色光である、請求項１または２に記載の被検査物の検査方法。
【請求項４】
前記光検出器は、前記３種類の波長の光の他に赤外光を検出することが可能であり、
前記第一照射パターンまたは前記第二照射パターンは、前記赤外光を組み合わせて形成された、請求項３に記載の被検査物の検査方法。
【請求項５】
前記反射光成分は、緑色光である、請求項１から４のいずれか一項に記載の被検査物の検査方法。
【請求項６】
前記欠点に関する情報は、前記被検査物中の異物等により遮光された前記透過光成分による像、前記被検査物の局所的な歪で屈折された前記透過光成分による像、前記被検査物中の異物等により反射された前記反射光成分による像または前記被検査物中の異物等が二重に写る前記反射光成分による像の少なくともいずれかを含む、請求項１から５のいずれか一項に記載の被検査物の検査方法。
【請求項７】
前記第一波長の照射パターンは、中央領域と第一の周辺領域および第二の周辺領域とを有し、
前記中央領域と前記第一の周辺領域および前記第二の周辺領域とは、前記板状透明体の幅方向を長手方向とし、前記長手方向に直交する方向に並んで配置され、
前記中央領域が、前記中央領域と前記第一の周辺領域および前記第二の周辺領域のうち中央に配置されており、
前記中央領域は、前記光検出器によって検出した場合に、明視野または暗視野のうちいずれか一方となる領域であり、
前記第一の周辺領域および前記第二の周辺領域は、前記光検出器によって検出した場合に、明視野または暗視野のうち前記中央領域とは異なる他方の領域である請求項１から６のいずれか一項に記載の被検査物の検査方法。
【請求項８】
前記第二波長の照射パターンは、第一分割領域と第二分割領域とを有し、
前記第一分割領域と前記第二分割領域は、前記板状透明体の幅方向に直交する方向を長手方向とし、前記板状透明体の幅方向に並んで配置され、
前記第一分割領域は、前記光検出器によって検出した場合に明視野となる領域であり、
前記第二分割領域は、前記光検出器によって検出した場合に暗視野となる領域である請求項１から７のいずれか一項に記載の被検査物の検査方法。
【請求項９】
前記被検査物は、ガラス板である、請求項１から８のいずれか一項に記載の被検査物の検査方法。
【請求項１０】
板状透明体からなる被検査物に検査光を照射して光検出器によって前記被検査物に存在する欠点を検出する被検査物の検査装置において、
前記光検出器は、第一波長、第二波長および第三波長を含む少なくとも３種類の波長の光を波長毎に検出することが可能であり、
前記第一波長の光によって形成される第一波長の照射パターンと当該第一波長の照射パターンと異なるパターンを有する前記第二波長の光によって形成される第二波長の照射パターンとを組み合わせて形成された第一照射パターンを含む第一検査光を前記被検査物の一方の面に照射する第一光源と、
前記第三波長の光で形成された第二照射パターンを含む第二検査光を前記被検査物のうち前記一方の面とは異なる他方の面に照射する第二光源と、
前記光検出器によって検出された前記透過光成分および前記反射光成分の検出結果のうち前記第一波長の光、前記第二波長の光および前記第三波長の光についての個別の検出結果に基づいて前記被検査物に存在する欠点に関する情報を取得する制御部と、
を備え、
前記第一検査光または前記第二検査光の一方が前記被検査物を透過した透過光成分と、前記第一検査光または前記第二検査光の他方が前記被検査物で反射した反射光成分とが重なった光を、前記光検出器に検出させるように光学系が構成される
ことを特徴とする被検査物の検査装置。
【請求項１１】
前記透過光成分は、前記第一検査光によるものであり、前記反射光成分は、前記第二検査光によるものである、請求項１０に記載の被検査物の検査装置。
【請求項１２】
前記３種類の波長の光は、赤色光、緑色光および青色光である、請求項１０または１１に記載の被検査物の検査装置。
【請求項１３】
前記光検出器は、前記３種類の波長の光の他に赤外光を検出することが可能であり、
前記第一照射パターンまたは前記第二照射パターンは、前記赤外光を組み合わせて形成された、請求項１２に記載の被検査物の検査装置。
【請求項１４】
前記反射光成分は、緑色光である、請求項１０から１３のいずれか一項に記載の被検査物の検査装置。
【請求項１５】
前記欠点に関する情報は、前記被検査物中の異物等により遮光された前記透過光成分による像、前記被検査物の局所的な歪で屈折された前記透過光成分による像、前記被検査物中の異物等により反射された前記反射光成分による像または前記被検査物中の異物等が二重に写る前記反射光成分による像の少なくともいずれかを含む、請求項１０から１４のいずれか一項に記載の被検査物の検査装置。
【請求項１６】
帯状のガラス板を成形する工程と、
請求項９に記載の被検査物の検査方法に基づき前記帯状のガラス板に含まれる欠点を検査する検査工程と、
前記検査工程によって検出された欠点を含むガラス板を除去すべきか否かを判別する判別工程と、
前記帯状のガラス板を所定の大きさに切断する切断工程と、
前記判別工程の判別結果に基づき除去すべきとされた欠点含有ガラス板を除去する除去工程と、を含むガラス板の製造方法。
【発明の詳細な説明】
【技術分野】
【０００１】
本発明は、被検査物の検査方法、被検査物の検査装置およびガラス板の製造方法に関する。
【背景技術】
【０００２】
自動車もしくは建築物の窓等に使用されるガラス板、またはフラットパネルディスプレイ等の電子機器に用いられているガラスパネル等は、溶解した原料をフロートバス上に流して板状に成形し、その成形品を徐冷後、所定の大きさに切断し、必要に応じ表面を研磨し、洗浄することで製作されている。
【０００３】
板状に成形されたガラス板は、泡、傷、異物等などによる微小欠点について光学的な検査が行われている。例えば、ガラス板に照明を当て、ガラス板の微弱な明暗の変化を光学カメラで撮像し、画像処理により微小欠点を識別することが行われている。
【０００４】
このようなガラス板に生じた様々な微小欠点の種類を識別するために、光の３原色からなる光源のパターンを被検査物に透過または反射させたものを撮像し、撮像した画像を解析することにより、被検査物に存在する欠点候補を抽出することが提案されている（例えば、特許文献１参照。）。
【先行技術文献】
【特許文献】
【０００５】
【特許文献１】特許第４１５１３０６号公報
【発明の概要】
【発明が解決しようとする課題】
【０００６】
近年、検査において欠点の種類をより高精度に判別するため、１つの欠点に対して複数の情報（画像）を検出することが求められている。しかし、特許文献１の方法では、透過または反射のどちらか一方の光源パターンの画像しか撮像できないものであり、透過または反射のもう一方の光源パターンの画像を得るには、他に検出系または光学系を準備する必要があった。このため、複数の検出系または光学系が必要になるため検査装置が複雑になる問題があった。
【０００７】
以上の事情に鑑み、本発明は、複雑な検出系または光学系を用いることなく、被検査物に含まれる欠点の種類を高精度に検出することが可能な被検査物の検査方法、被検査物の検査装置およびガラス板の製造方法を提供する。
【課題を解決するための手段】
【０００８】
本発明に係る被検査物の検査方法は、板状透明体からなる被検査物に検査光を照射して光検出器によって前記被検査物に存在する欠点を検出する被検査物の検査方法において、前記検査光は、第一波長、第二波長および第三波長を含む少なくとも３種類の波長の光で構成され、前記第一波長の光によって形成される第一波長の照射パターンと当該第一波長の照射パターンと異なるパターン有する前記第二波長の光によって形成される第二波長の照射パターンとを組み合わせて形成された第一照射パターンを含む第一検査光と、前記第三波長の光で形成された第二照射パターンを含む第二検査光とからなり、前記第一検査光を前記被検査物の一方の面に照射すると共に、前記第二検査光を前記被検査物のうち前記一方の面とは異なる他方の面に照射するステップと、前記第一検査光または前記第二検査光の一方が前記被検査物を透過した透過光成分と、前記第一検査光または前記第二検査光の他方が前記被検査物で反射した反射光成分とが重なった光を前記第一波長、第二波長および第三波長毎に前記光検出器によって検出するステップと、前記光検出器によって検出された前記透過光成分および前記反射光成分の検出結果のうち前記第一波長の光、前記第二波長の光および前記第三波長の光についての個別の検出結果に基づいて前記被検査物に存在する欠点に関する情報を取得するステップと、を含む。
【０００９】
上記の被検査物の検査方法において、前記透過光成分は、前記第一検査光によるものであり、前記反射光成分は、前記第二検査光によるものであることが好ましい。
【００１０】
上記の被検査物の検査方法において、前記３種類の波長の光は、赤色光、緑色光および青色光であることが好ましい。
【００１１】
上記の被検査物の検査方法において、前記光検出器は、前記３種類の波長の光の他に赤外光を検出することが可能であり、前記第一照射パターンまたは前記第二照射パターンは、前記赤外光を組み合わせて形成されたことが好ましい。
【００１２】
上記の被検査物の検査方法において、前記反射光成分は、緑色光であることが好ましい。
【００１３】
上記の被検査物の検査方法において、前記欠点に関する情報は、前記被検査物中の異物等により遮光された前記透過光成分による像、前記被検査物の局所的な歪で屈折された前記透過光成分による像、前記被検査物中の異物等により反射された前記反射光成分による像または前記被検査物中の異物等が二重に写る前記反射光成分による像の少なくともいずれかを含むことが好ましい。
【００１４】
上記の被検査物の検査方法において、前記被検査物は、ガラス板であることが好ましい。
【００１５】
本発明に係る被検査物の検査装置は、板状透明体からなる被検査物に検査光を照射して光検出器によって前記被検査物に存在する欠点を検出する被検査物の検査装置において、前記光検出器は、第一波長、第二波長および第三波長を含む少なくとも３種類の波長の光を波長毎に検出することが可能であり、前記第一波長の光によって形成される第一波長の照射パターンと当該第一波長の照射パターンと異なる前記第二波長の光によって形成される第二波長の照射パターンとを組み合わせて形成された第一照射パターンを含む第一検査光を前記被検査物の一方の面に照射する第一光源と、前記第三波長の光で形成された第二照射パターンを含む第二検査光を前記被検査物のうち前記一方の面とは異なる他方の面に照射する第二光源と、前記光検出器によって検出された前記透過光成分および前記反射光成分の検出結果のうち前記第一波長の光、前記第二波長の光および前記第三波長の光についての個別の検出結果に基づいて前記被検査物に存在する欠点に関する情報を取得する制御部と、を備え、前記第一検査光または前記第二検査光の一方が前記被検査物を透過した透過光成分と、前記第一検査光または前記第二検査光の他方が前記被検査物で反射した反射光成分とが重なった光を、前記光検出器に検出させるように光学系が構成される。
【００１６】
上記の被検査物の検査装置において、前記透過光成分は、前記第一検査光によるものであり、前記反射光成分は、前記第二検査光によるものであることが好ましい。
【００１７】
上記の被検査物の検査装置において、前記３種類の波長の光は、赤色光、緑色光および青色光であることが好ましい。
【００１８】
上記の被検査物の検査装置において、前記光検出器は、前記３種類の波長の光の他に赤外光を検出することが可能であり、前記第一照射パターンまたは前記第二照射パターンは、前記赤外光を組み合わせて形成されたことが好ましい。
【００１９】
上記の被検査物の検査装置において、前記反射光成分は、緑色光であることが好ましい。
【００２０】
上記の被検査物の検査装置において、前記欠点に関する情報は、前記被検査物中の異物等により遮光された前記透過光成分による像、前記被検査物の局所的な歪で屈折された前記透過光成分による像、前記被検査物中の異物等により反射された前記反射光成分による像または前記被検査物中の異物等が二重に写る前記反射光成分による像の少なくともいずれかを含むことが好ましい。
【００２１】
本発明に係るガラス板の製造方法は、帯状のガラス板を成形する工程と、上記の被検査物の検査方法に基づき前記帯状のガラス板に含まれる欠点を検査する検査工程と、前記検査工程によって検出された欠点を含むガラス板を除去すべきか否かを判別する判別工程と、前記帯状のガラス板を所定の大きさに切断する切断工程と、前記判別工程の判別結果に基づき除去すべきとされた欠点含有ガラス板を除去する除去工程と、を含む。
【発明の効果】
【００２２】
本発明によれば、被検査物を透過した透過光成分と被検査物で反射した反射光成分とが重なった光を光検出器によって検出するため、検出系（光検出器など）または光学系（光源、光学素子など）の構成を単純化できる。また、第一検査光は、互いに異なるパターンを有する第一波長の光によって形成される第一波長の照射パターンと第二波長の光によって形成される第二波長の照射パターンとを組み合わせて形成された第一照射パターンを含むため、第一検査光を透過または反射させることにより、第一波長の光による像および第二波長の光による像の２種類の像が得られる。さらに、第二検査光は第三波長の光で形成された第二照射パターンを含むため、第二検査光を透過または反射させることにより、第三波長の光による像も得られる。このように光検出器によって検出された透過光成分および反射光成分の検出結果のうち、第一波長の光、第二波長の光および第三波長の光についての個別の検出結果に基づいて被検査物に存在する欠点に関する情報を取得するため、透過光および反射光の２種類の光を用いて少なくとも３種類の情報が得られる。これにより、複雑な構成の検査装置を用いることなく、被検査物に含まれる欠点の種類を高精度に検出できる。
【図面の簡単な説明】
【００２３】
【図１】第一実施形態に係る検査装置１００の構成を示す斜視図。
【図２】本実施形態に係る検査装置１００の構成を示す側面図。
【図３】（ａ）本実施形態に係る第一光源１０の光放射パターン１１を示す平面図。（ｂ）本実施形態に係る第二光源２０の光放射パターン２１を示す平面図。
【図４】（ａ）第一照射パターンＰおよび第二照射パターンＱの一部を拡大して示す図。（ｂ）第一照射パターンＰおよび第二照射パターンＱの赤チャンネル画像。（ｃ）第一照射パターンＰおよび第二照射パターンＱの青チャンネル画像。（ｄ）第一照射パターンＰおよび第二照射パターンＱの緑チャンネル画像。
【図５】本実施形態に係るガラス板Ｗの製造工程を示すフローチャート。
【図６】（ａ）第二実施形態に係る第一照射パターンＰ１の一部を拡大して示す図。（ｂ）第一照射パターンＰ１の赤チャンネル画像。（ｃ）第一照射パターンＰ１の青チャンネル画像。（ｄ）第一照射パターンＰ１の赤外チャンネル画像。
【図７】（ａ）第三実施形態に係る第一照射パターンＰ２の一部を拡大して示す図。（ｂ）第一照射パターンＰ２の赤チャンネル画像。（ｃ）第一照射パターンＰ２の青チャンネル画像。（ｄ）第一照射パターンＰ２の赤外チャンネル画像。
【図８】第一照射パターンＰの中央領域Ｐａ、第１の周辺領域Ｐｂ、第二の周辺領域Ｐｃおよび第二照射パターンＱを構成する光の色の組み合わせを示す表。
【発明を実施するための形態】
【００２４】
以下、本発明の実施の形態を説明する。
【００２５】
［第一実施形態］
図１は、本実施形態に係る検査装置１００の構成を示す斜視図である。図２は、検査装置１００の構成を示す側面図である。
【００２６】
図１および図２に示すように、検査装置１００は、被検査物であるガラス板Ｗに含まれる欠点の種類を判別するために用いられる。ガラス板Ｗは、不図示の製造装置によって例えばガラスリボンの状態（帯状）に成形されたものである。ガラス板Ｗは連続して成形されるため、図１および図２では、ガラス板Ｗのうち長手方向の一部のみを示している。第一実施形態では、検査装置１００は、ガラス板Ｗを搬送する不図示の搬送装置を有している。ガラス板Ｗは、この搬送装置によって図中のＹ方向に搬送されながら検査装置１００によって検査される。なお、搬送方向はＹ方向の逆方向であってもよい。
【００２７】
以下、各図において、ＸＹＺ座標系を用いて図中の方向を説明する。該ＸＹＺ座標系では、ガラス板Ｗの面（第一面Ｗａおよび第二面Ｗｂ）に平行な平面をＸＹ平面とし、該ＸＹ平面に直交する方向をＺ方向とする。ＸＹ平面においては、ガラス板の幅方向をＸ方向とし、該Ｘ方向に直交する方向をＹ方向とする。すなわち、Ｙ方向はガラス板Ｗの搬送方向であり、Ｘ方向は搬送方向に直交する方向である。Ｘ方向、Ｙ方向およびＺ方向のそれぞれは、図中の矢印の方向が＋方向であり、矢印の方向とは反対の方向が−方向であるものとして説明する。なお、Ｘ方向、Ｙ方向およびＺ方向とは、本発明の効果を逸脱しない範囲で、ある程度幅を持った概念とする。
【００２８】
検査装置１００は、ガラス板Ｗの第一面Ｗａ（−Ｚ側の面）へ向けて第一検査光Ｌ１を放射する第一光源１０と、ガラス板Ｗの第二面Ｗｂ（＋Ｚ側の面）へ向けて第二検査光Ｌ２を放射する第二光源２０と、第一検査光Ｌ１および第二検査光Ｌ２のうちガラス板Ｗを介した成分を検出する光検出器３０と、検査装置１００の統括的な制御および光検出器３０による検出結果の処理を行う制御部ＣＯＮＴとを有している。
【００２９】
第一光源１０は、ガラス板Ｗの第一面Ｗａ側に配置されている。第一光源１０のうちガラス板Ｗ側には、第一検査光Ｌ１を放射する光放射面１０ａが設けられている。光放射面１０ａは、第一面Ｗａの所定部分（光入射領域Ｗ１）に向けられている。第一光源１０の内部には、光放射面１０ａに向けて白色光を放射する光放射部（不図示）が設けられている。光放射面１０ａには、当該光放射部から放射された白色光を赤色光および青色光に変換して放射する光放射パターン１１が設けられている。光放射パターン１１から放射された第一検査光Ｌ１は、所定の第一照射パターンＰを含んだ光となる。つまり、光放射パターン１１は、第一照射パターンＰを形成するための手段として用いられている。第一検査光Ｌ１は、ガラス板Ｗの幅方向（Ｘ方向）の全面に照射される。なお第一検査光Ｌ１は、ガラス板Ｗの幅方向の両端からはみ出すように照射されてもよい。また、幅方向の全体を検査する必要のない場合などにおいては、第一検査光Ｌ１をガラス板Ｗの幅方向の一部にのみに照射されてもよい。
【００３０】
第二光源２０は、ガラス板Ｗの第二面Ｗｂ側に配置されている。第二光源２０のうちガラス板Ｗ側には、第二検査光Ｌ２を放射する光放射面２０ａが設けられている。光放射面２０ａは、第二面Ｗｂの光入射領域Ｗ２に向けられている。第一光源２０の内部には、光放射面２０ａに向けて白色光を放射する光放射部（不図示）が設けられている。第二光源２０の光放射面２０ａには、当該光放射部から放射された白色光を緑色光に変換して放射する光放射パターン２１が設けられている。光放射パターン２１から放射された第二検査光Ｌ２は、緑色光からなる所定の第二照射パターンＱを含んだ光となる。つまり、光放射パターン２１は、第二照射パターンＱを形成するための手段として用いられている。第二検査光Ｌ２は反射光成分を形成するため、本実施形態では緑色光が好適である。これは、ガラスの場合、反射光は透過光に比べて強度が得にくいため、赤色光および青色光に比べて比較的明るい緑色光を用いることで光源の負荷を低減できることによる。光入射領域Ｗ２は、ガラス板Ｗを透過する第一検査光Ｌ１の光路と第二面Ｗｂとが交差する部分に設定されている。第二検査光Ｌ２は、ガラス板Ｗの幅方向（Ｘ方向）において、全面に照射される。なお第二検査光Ｌ２は、ガラス板Ｗの幅方向の両端からはみ出すように照射されてもよいし、ガラス板Ｗの幅方向の一部にのみに照射されてもよい。
【００３１】
また、図２に示すように、第一光源１０は、第一検査光Ｌ１が第一面Ｗａに対して所定の入射角αで入射するように該第一検査光Ｌ１の放射方向が設定されている。第一光源１０から放射される第一検査光Ｌ１のうちガラス板Ｗを透過する透過光成分Ｌ１０は、ガラス板Ｗの第一面Ｗａで屈折し第二面Ｗｂで、法線方向に対して角度γ傾いた方向に屈折して放射される。このとき、ガラス板Ｗの第一面Ｗａと第二面Ｗｂが略平行で屈折率が一様であれば、放射角γと入射角αとは略等しい角度となる。
【００３２】
また、図２に示すように、第二光源２０は、第二検査光Ｌ２が第二面Ｗｂに対して所定の入射角βで入射するように該第二検査光Ｌ２の放射方向が設定されている。ガラス板Ｗ中に異物等がない場合、反射光成分Ｌ２０は、第二光源２０から放射される第二検査光Ｌ２のうち、ガラス板Ｗの第二面Ｗｂで、第二面Ｗｂの法線方向に対して角度δ傾いた方向に反射する成分Ｌ２１と、第二面Ｗｂで屈折し第一面Ｗａで反射して第二面Ｗｂから角度δで屈折して放射される成分Ｌ２２とからなる。このとき、ガラス板Ｗの第一面Ｗａと第二面Ｗｂが略平行で屈折率が一様であれば、第一検査光Ｌ１の入射角αと第二検査光Ｌ２の入射角βとが等しくなるように設定され、反射光成分Ｌ２０の反射角δと透過光成分Ｌ１０の放射角γとは略等しい角度となる。このため、反射光成分Ｌ２０の光路は、透過光成分Ｌ１０の光路に重なることになる。
【００３３】
また、ガラス板Ｗが搬送により上下動することがあり、その上下動により第二検査光Ｌ２の反射光成分Ｌ２０が光検出器３０に到達しない場合がある。それを回避するために、第二検査光Ｌ２の入射角βは、３０°以下の範囲に設定される。好ましくは２０°以下である。このように設定することによりガラス板Ｗが上下動しても反射光成分Ｌ２０が光検出器３０に到達しやすくなる。第一検査光Ｌ１の入射角αは、透過光成分Ｌ１０と反射光成分Ｌ２０とを重ねる必要があるため、第二検査光Ｌ２の入射角βと同様に３０°以下の範囲に設定される。好ましくは２０°以下である。また、本実施形態では、光検出器３０と第二光源２０との干渉を考慮し、入射角αおよびβが５°以上の範囲に設定される。
【００３４】
光検出器３０は、ガラス板Ｗの第二面Ｗｂにおける撮像領域Ｓから放射される第一検査光Ｌ１の透過光成分Ｌ１０および第二検査光Ｌ２の反射光成分Ｌ２０を検出する。光検出器３０としては、例えば１次元ＣＣＤセンサを備えたラインカメラが用いられている。以下の説明もラインカメラを用いたときに好適な例として説明している。光検出器３０の撮像領域Ｓは、第二面Ｗｂの光入射領域Ｗ２内に直線状に設定されている。光検出器３０は、検出した透過光成分Ｌ１０および反射光成分Ｌ２０を、光の三原色である赤色（Ｒ）、緑色（Ｇ）および青色（Ｂ）の各画像に分離できる。なお、光検出器３０は、１次元ＣＣＤセンサを備えたラインカメラに限定されず、例えば、所定の第一照射パターンＰおよび所定の第二照射パターンＱを調整すれば、２次元ＣＣＤセンサを備えたエリアカメラであってもよい。上記のように、検査装置１００は、被検査物であるガラス板Ｗを透過した第一検査光Ｌ１の透過光成分Ｌ１０およびガラス板Ｗで反射された第二検査光Ｌ２の反射光成分Ｌ２０を同一の光検出器３０によって検出させるように光学系が構成される。
【００３５】
図３（ａ）は、第一光源１０の光放射面１０ａを示す平面図である。
【００３６】
図３（ａ）に示すように、光放射パターン１１は、光放射面１０ａに設けられたストライプ状の３つの領域（中央領域１１ａ、第一の周辺領域１１ｂ、第二の周辺領域１１ｃ）を有している。中央領域１１ａ、第一および第二の周辺領域１１ｂ、１１ｃは、Ｙ方向に並んで配置されており、それぞれＸ方向を長手方向として矩形に形成される。中央領域１１ａは、３つの領域のうちＹ方向の中央に配置されている。第一および第二の周辺領域１１ｂ、１１ｃは、中央領域１１ａをＹ方向に挟む位置に配置されている。第一の周辺領域１１ｂは、中央領域１１ａの−Ｙ側の辺に接している。第二の周辺領域１１ｃは、中央領域１１ａの＋Ｙ側の辺に接している。第一および第二の周辺領域１１ｂ、１１ｃは、青色に着色された光を放射する。中央に配置された中央領域１１ａは、第一および第二の周辺領域１１ｂ、１１ｃに着色された色と同色（青色）と赤色とを加法混合した場合の混合色（マゼンタ（Ｍ））に着色された光を放射する。
【００３７】
光放射パターン１１は、中央領域１１ａ、第一および第二の周辺領域１１ｂ、１１ｃに対応する形状に着色して形成されたフィルムを、第一光源１０の光放射面１０ａに貼付したものである。該フィルムは、透明樹脂フィルムにアルミナゾル等を塗布し、その上にインクジェット印刷することにより製造できる。第一光源１０の内部に設けられた上記の光放射部は、光放射パターン１１の長手方向に複数並んで配置されている。
【００３８】
図３（ｂ）は、第二光源２０の光放射面２０ａを示す平面図である。
【００３９】
図３（ｂ）に示すように、光放射パターン２１は、光放射面２０ａに設けられた光放射領域２１ａを有している。光放射領域２１ａは、帯状に形成されている。光放射領域２１ａは、緑色に着色された光を放射する。
【００４０】
光放射パターン２１は、光放射領域２１ａに対応する形状に形成されたフィルムを有している。該フィルムは、緑色に着色され、第二光源２０の光放射面２０ａに貼付されている。該フィルムは、透明樹脂フィルムにアルミナゾル等を塗布し、その上にインクジェット印刷することにより製造される。第二光源２０の内部に設けられた上記の光放射部は、光放射パターン２１の長手方向に複数並んで配置されている。なお、上記白色光を放射する不図示の光放射部に代えて、緑色の光を放射する不図示の光放射部が設けられた構成であってもよい。この場合、上記フィルムの着色は不要となる。
【００４１】
図４（ａ）は、ガラス板Ｗの第二面Ｗｂから放射される透過光成分Ｌ１０の第一照射パターンＰおよび反射光成分Ｌ２０の第二照射パターンＱの一部を拡大して示す図である。図４（ａ）は、光検出器３０に検出される際の第一照射パターンＰの一部が第二照射パターンＱに重なった状態を示している。図４（ａ）に示すように、このパターンは赤色、青色および緑色の混合光になっている。以下、まずは第一照射パターンＰと第二照射パターンＱとを別個に説明する。図４（ａ）では、撮像領域Ｓを判別しやすくするため、Ｙ方向に幅をもたせた状態で破線で示している。
【００４２】
図４（ａ）を参照して、第一照射パターンＰについて説明する。図４（ａ）に示すように、第一照射パターンＰは、ガラス板Ｗの搬送方向に直交する方向（Ｘ方向）に長手となるように形成されている。第一照射パターンＰは、第一光源１０の光放射パターン１１のうち中央領域１１ａから放射された光に対応する中央領域Ｐａと、第一の周辺領域１１ｂ、第二の周辺領域１１ｃから放射された光に対応する第一の周辺領域Ｐｂ、第一の周辺領域Ｐｃとを有している。中央領域Ｐａ、第一および第二の周辺領域Ｐｂ、Ｐｃは、ストライプ状に形成されている。これら中央領域Ｐａ、第一および第二の周辺領域Ｐｂ、Ｐｃは、ガラス板Ｗの搬送方向であるＹ方向に並んで形成されている。第一照射パターンＰの中央領域Ｐａは、赤色光と青色光との混合色光（マゼンタ光）である。中央領域Ｐａは、一部が撮像領域Ｓに重なる位置に配置される。本実施形態では、中央領域Ｐａは、Ｙ方向の中央に撮像領域Ｓが位置するように配置されている。また、第一照射パターンＰの第一および第二の周辺領域Ｐｂ、Ｐｃは、それぞれ青色の光である。すなわち、中央領域Ｐａ、第一および第二の周辺領域Ｐｂ、Ｐｃに亘って青色光を含んでいる。
【００４３】
次に、図４（ａ）を参照して、第二照射パターンＱについて説明する。図４（ａ）に示すように、反射光成分Ｌ２０の第二照射パターンＱは、第一照射パターンＰと同様に、ガラス板Ｗの搬送方向に直交する方向（Ｘ方向）に長手となるように形成されている。第二照射パターンＱは、第二光源２０の光放射パターン２１の光放射領域２１ａから放射された光に対応する光放射領域Ｑａを有している。光放射領域Ｑａは、帯状の緑色の光である。光放射領域Ｑａは、一部が撮像領域Ｓに重なる位置に配置される。本実施形態では、光放射領域Ｑａは、Ｙ方向の中央に撮像領域Ｓが位置するように配置されている。
【００４４】
上記においては、第一照射パターンＰと第二照射パターンＱとを別個に説明したが、実際には第一照射パターンＰの一部は、第二照射パターンＱに重なっている。つまり、図４（ａ）に示すように、第一照射パターンＰの中央領域Ｐａは、第二照射パターンＱの光放射領域Ｑａの一部に重なっている。また、第一の周辺領域Ｐｂのうち＋Ｙ側の一部は、光放射領域Ｑａの−Ｙ側の一部に重なっている。さらに、第二の周辺領域Ｐｃのうち−Ｙ側の一部は、光放射領域Ｑａの＋Ｙ側の一部に重なっている。
【００４５】
このように、ガラス板Ｗの第二面Ｗｂには、中央領域Ｐａと光放射領域Ｑａの一部とが重なった第一領域４１と、第一の周辺領域Ｐｂの一部と光放射領域Ｑａの一部とが重なった第二領域４２と、第二の周辺領域Ｐｃの一部と光放射領域Ｑａの一部とが重なった第三領域４３と、第一の周辺領域Ｐｂのうち光放射領域Ｑａとは重ならない第四領域４４と、第二の周辺領域Ｐｃのうち光放射領域Ｑａとは重ならない第五領域４５とが形成される。
【００４６】
第一領域４１は、赤色光と青色光と緑色光とを加法混合した場合の混合色光（白色光）である。第二領域４２および第三領域４３は、青色光と緑色光とを加法混合した場合の混合色光（シアンの光）である。第四領域４４および第五領域４５は、青色光である。
【００４７】
次に、図４（ｂ）〜図４（ｄ）を参照して、ガラス板Ｗには各波長の光毎に異なる照射パターンが照射されていることを説明する。以下では、説明のために、ラインカメラで撮像した場合ではなく、便宜的にエリアカメラで全面領域Ｐｄの全体を撮像した場合について説明する。
【００４８】
図４（ｂ）は、赤色光の波長感度を持つ撮像素子で全面領域Ｐｄの全体を撮像した場合に得られる画像（以下、「赤チャンネル画像３１」と表記する。）を示している。図４（ｃ）は、青色光の波長感度を持つ撮像素子で全面領域Ｐｄの全体を撮像した場合に得られる画像（以下、「青チャンネル画像３２」と表記する。）を示している。図４（ｄ）は、緑色光の波長感度を持つ撮像素子で全面領域Ｐｄの全体を撮像した場合に得られる画像（以下、「緑チャンネル画像３３」と表記する。）を示している。
【００４９】
図４（ｂ）に示すように、赤チャンネル画像３１の全面領域３１ｄのうち、第一照射パターンＰの中央領域Ｐａを撮像して得られる中央領域３１ａは明視野（図中のＲ）となり、第一照射パターンＰの第一の周辺領域Ｐｂ、第二の周辺領域Ｐｃを撮像して得られる第一の周辺領域３１ｂ、第二の周辺領域３１ｃは暗視野となる。また、図４（ｃ）に示すように、青チャンネル画像３２においては、全面領域３２ｄが明視野（Ｂ）となる。このように、第一照射パターンＰは、赤色光の照射パターン（第一波長の照射パターン）と、赤色光の照射パターンと異なるパターンを有する青色光の照射パターン（第二波長の照射パターン）との２つの照射パターンを含んだ構成となっている。
【００５０】
図４（ｄ）に示すように、緑チャンネル画像３３の全面領域３３ｄのうち、第二照射パターンＱを撮像して得られる中央領域３３ａは明視野となる。第二照射パターンＱからＹ方向に外れた領域を撮像して得られる第一および第二の周辺領域３３ｂ、３３ｃは暗視野として表示しているが、欠点の検出については何の意味もない。すなわち、全面領域３３ｄが明視野（Ｇ）となる照射パターンであってよい。このように、第二照射パターンＱは、１種類の光（緑色光）の照射パターンを含んだ構成となっている。
【００５１】
次に、上記の検査装置１００を用いたガラス板の製造方法、検査方法および原理について説明する。図５は、本実施形態に係るガラス板Ｗの製造工程を示すフローチャートである。
【００５２】
図５に示すように、ガラス板Ｗの製造方法について、まず不図示の製造装置により、例えばフロート法やフュージョン法などの手法によってガラスリボンの状態のガラス板Ｗを成形し（ＳＴ０１）、成形された該ガラス板Ｗに対して検査装置１００を用いた検査工程を行う（ＳＴ０２〜ＳＴ０４）。そして、検査工程によって検出された欠点を含むガラス板を除去すべきか否かを判別する判別工程を実施する（ＳＴ０５）。その後、ガラスリボンの状態のガラス板を所定の大きさに切断する切断工程を実施し（ＳＴ０６）、判別工程の判別結果に基づき除去すべきとされた欠点を有するガラス板（欠点含有ガラス板）を除去する除去工程を実施し（ＳＴ０７）、除去されなかったガラス板を製品として出荷する。
【００５３】
なお、切断工程（ＳＴ０６）では、ガラス板を全て製品形状に切断するのではなく、欠点を含む領域を最小限の大きさに切断してもよい。また、切断工程（ＳＴ０６）後に検査工程（ＳＴ０２〜ＳＴ０４）および判別工程（ＳＴ０５）を実施してもよい。すなわち、切断工程（ＳＴ０６）によって検出された欠点含有ガラス板を除去できれば、工程の順は限定されない。
【００５４】
検査工程において、制御部ＣＯＮＴは、第一光源１０および第二光源２０からそれぞれ第一検査光Ｌ１および第二検査光Ｌ２を放射させ、ガラス板Ｗに第一検査光Ｌ１および第二検査光Ｌ２を照射する（ＳＴ０２）。第一検査光Ｌ１のうちガラス板Ｗを透過した透過光成分Ｌ１０、第二検査光Ｌ２のうちガラス板Ｗで反射された反射光成分Ｌ２０は、光入射領域Ｗ２において第一照射パターンＰおよび第二照射パターンＱを形成する。
【００５５】
次に、制御部ＣＯＮＴは、光検出器３０を用いて、第一照射パターンＰの中央領域Ｐａおよび第二照射パターンＱのうち撮像領域Ｓにおいて重複した部分を撮像させる（ＳＴ０３）。光検出器３０が瞬間的に取得する画像は、撮像領域Ｓに沿った線状の画像である。このため、制御部ＣＯＮＴは、第一検査光Ｌ１および第二検査光Ｌ２の照射位置を固定し、ガラス板ＷをＹ方向に搬送しつつ、光検出器３０による撮像を時間的に連続して行わせる。このように、ガラス板Ｗの搬送に従って順次ガラス板Ｗ上をスキャンして得られる複数の線状の画像を結合させることで、ガラス板ＷのＹ方向の全体（あるいは所定領域ごと）についての画像を取得する。
【００５６】
上記の検査方法を行う場合、ガラス板Ｗを透過する第一検査光Ｌ１について、第一照射パターンＰの中央領域Ｐａは、マゼンタの光であるため、赤色と青色を含んでいる。換言すると、赤色光は中央領域Ｐａにのみ含まれており、青色光は中央領域Ｐａ、第一および第二の周辺領域Ｐｂ、Ｐｃの全体に含まれている。このように、赤色光と青色光とは、第一照射パターンＰにおいて互いに異なる照射パターンで照射されている。本実施形態では、赤色光の照射パターンは、青色光の照射パターンの一部に重なっている。また、本実施形態では、赤色光の照射パターンと青色光の照射パターンとは、Ｙ方向において中央位置が揃っている。
【００５７】
該状態でガラス板Ｗに欠点が無い場合、光検出器３０によって撮像され赤色、緑色および青色の各色に分離された画像のうち、赤色画像および青色画像は、それぞれ明視野（輝度が最大の状態）となる。これに対して、ガラス板Ｗに、気泡、異物の混入、傷、凹凸等の欠点が存在する場合、欠点の種類によって赤色画像および青色画像が変化する。
【００５８】
例えば、異物の混入や気泡などの欠点が存在することにより該欠点の周囲に「歪み」が生じている場合、該欠点の周囲ではこの歪みにより光が屈折する。このため、例えば中央領域Ｐａへ向けて進行する赤色光の一部が歪みを通過すると、当該赤色光の一部は、進行方向を変えて屈折する。屈折した光は、中央領域Ｐａ内の所期の領域から別の領域へ向けて進行する。したがって、赤色光の一部が屈折される場合には、該赤色光の一部は中央領域Ｐａの所期の領域に到達しない。また、中央領域Ｐａの幅が狭く形成されているため、他の領域から屈折してくる光もない。よって、該中央領域Ｐａに設定されている撮像領域Ｓでは歪によって屈折された部分の赤色光を撮像できない。この結果、赤色画像では、欠点の周囲の歪みによって欠点の周囲に黒い影が形成されたように撮像される。よって、中央領域Ｐａの幅が狭い照射パターンにすることで、欠点の周囲に黒い影の有無および黒い影の形状、寸法などを検出することができ、ガラス板Ｗの内部の歪みの有無、該歪みの範囲、状態等から欠点の位置、大きさ、種類、ガラス板Ｗの変形などを判別するための情報となる（ＳＴ０４）。
【００５９】
また、異物の混入や気泡などの欠点が存在する場合、該欠点自身（ここでは欠点の周囲に生じる「歪み」と区別して「核」とする）によって光の進行が遮られる。例えば中央領域Ｐａへ向けて進行する青色光の一部が核に到達すると、該青色光の一部は、核で遮光されて所期の領域に到達しない。このため、撮像領域Ｓでは遮光された部分の青色光を撮像できない。この結果、青色画像の一部に黒い影が形成される。
【００６０】
なお同様に、中央領域Ｐａへ向けて進行する赤色光の一部が核に到達しても、該赤色光の一部は、核で遮光されて所期の領域に到達しない。このため、撮像領域Ｓでは遮光された部分の赤色光を撮像できない。
【００６１】
一方、青色光の照射パターンは全面領域Ｐｄであるため、赤色光の照射パターンに比べると充分に幅が広く形成されている。そのため、欠点の周囲の歪みにより光が屈折しても他の領域で屈折した光が入り込んでくるため、歪みは目立つような黒い影とならない。
【００６２】
以上より、赤色画像と青色画像は、両者について黒い影の有無および黒い影の形状、寸法などを比較することにより、ガラス板Ｗの内部の欠点（核及び歪）の有無、該核の大きさ、形状等から、欠点の位置、大きさ、種類などを判別するための情報となる（ＳＴ０４）。このように、赤色光の照射パターンと青色光の照射パターンでは光の照射パターンの幅が異なっているため、同じ欠点について異なる画像を取得でき、それぞれの画像から透過光成分としての欠点の情報を入手できる。
【００６３】
一方、ガラス板Ｗで反射される第二検査光Ｌ２について、第二照射パターンＱは緑色に着色されており、赤色および青色を含まない。なお、本実施形態では、Ｙ方向について、緑色光の照射パターンは、赤色光および青色光の照射パターンに重なった状態となっていると共に、赤色光および青色光の照射パターンとの間で中央位置が揃った状態となっている。
【００６４】
第二検査光Ｌ２の反射光成分Ｌ２０には、ガラス板Ｗの第二面Ｗｂで反射される成分Ｌ２１と、第二面Ｗｂからガラス板Ｗの内部に進行して第一面Ｗａで反射される成分Ｌ２２とが含まれている。例えば、成分Ｌ２２が第二面Ｗｂで屈折し、第一面Ｗａで反射された後に欠点に到達すると、緑色光の一部は、欠点で遮光されて所期の領域に到達しない。このため、撮像領域Ｓでは遮光された部分の緑色光を撮像できず、緑色画像について黒い影が撮像される。
【００６５】
その後、ガラス板ＷがＹ方向に搬送されると、成分Ｌ２２が第二面Ｗｂで屈折し第一面Ｗａで反射される前に、上記欠点に到達する。成分Ｌ２２は、その一部が欠点で遮光され状態で、第一面Ｗａで反射されて光検出器３０に到達する。そのため、時差を経て再び撮像領域Ｓでは遮光された部分の緑色光を撮像できないため、緑色画像について黒い影が二重に形成されたように撮像される（二重像）。すなわち、該成分Ｌ２２は、ガラス板Ｗの厚さと欠点の存在する深さに依存する所定の時差を経て光検出器３０に検出される。
【００６６】
したがって、欠点が存在する場合、緑色画像には二重像が存在する場合がある。該二重像を解析することにより、ガラス板Ｗの厚さ方向（Ｚ方向）における欠点の位置を判別することができる（ＳＴ０４）。なお、成分Ｌ２１は、ガラス板Ｗの第二面Ｗｂ上の欠点の検出に対して有効である。
【００６７】
また、ガラス板Ｗに、例えば欠点が光沢のある金属の異物であった場合、第二検査光Ｌ２である緑色光が欠点で乱反射するため、光ったような画像が取得できる。反射光成分によって、このような異物の種類を判別するための情報も取得することができる（ＳＴ０４）。このように緑色光の照射パターンからは赤色光および青色光の照射パターンの透過光成分とは異なる反射光成分としての欠点に関する情報を取得できる。
【００６８】
このように、３種類の光を透過光および反射光に分けてガラス板Ｗに照射し、透過光成分Ｌ１０と反射光成分Ｌ２０とが重なった光を一つの光検出器３０によって検出することにより、簡単な構成で、ガラス板Ｗに含まれる欠点についての複数種類の情報が得られる。本実施形態では、Ｙ方向について、赤色光が放射される領域、青色光が放射される領域および緑色光が放射される領域について、それぞれ中央位置が揃っている。このため、撮像領域Ｓを中心として＋Ｙ方向および−Ｙ方向に赤色光、青色光および緑色光が均等に照射されることになる。このため、欠点およびその周囲による光の屈折、遮光等の影響を＋Ｙ方向および−Ｙ方向のそれぞれについてバランス良く検出できる。
【００６９】
次に、欠点の種類を具体的に識別方法について説明する。ガラス板には種々の欠点が発生する。例えば、肉厚が局所的に変化してレンズ効果を生ずる欠点、表面に形成された傷、凹凸、内部に混入した異物、気泡等がある。そして、該欠点候補の種類を、図１に示した検査装置１００により画像を分析すると、それぞれ固有の特徴を有する。
【００７０】
例えば、光検出器の対向する位置にあるパターンからの光のみを検出した場合、気泡欠点については、光は屈折はしながらも透過するため中心部は光るが、輪郭部は屈折により光らない（影になる）。それに対して、異物は、遮光により中心部は光らず、輪郭部も光らないといった特徴を持つ。したがって、欠点候補の中心部の明暗情報は、欠点候補が気泡であるか異物であるかの判断材料となる。また気泡や異物は輪郭周辺に生じる歪による光の屈折により、周辺部が光らなくなる場合があるのに対して、ガラス板Ｗに付着した埃の場合、核は存在するが、核の周囲に歪は存在しないため輪郭部を含む周辺部は常に明るく影にならない。このような欠点候補の核および周辺部の明暗情報は、欠点候補が気泡、異物もしくは埃であるかの判断材料となる。
【００７１】
以上のように、本実施形態によれば、被検査物であるガラス板Ｗを透過した第一検査光Ｌ１の透過光成分Ｌ１０とガラス板Ｗで反射された第二検査光Ｌ２の反射光成分Ｌ２０とが重なった光を同一の光検出器３０によって検出するため、検出系（光検出器など）および光学系（光源、光学素子など）の構成を単純化できる。
【００７２】
また、第一検査光Ｌ１は、互いに異なるパターンを有する赤色光の照射パターンと青色光の照射パターンとを組み合わせて形成された第一照射パターンＰを含むため、ガラス板Ｗに第一検査光Ｌ１を透過させることにより、赤色光による像および青色光による像の２種類の像が得られる。さらに、第二検査光Ｌ２は第三波長の光（緑色光）で形成された第二照射パターンＱを含むため、第二検査光Ｌ２を反射させることにより、緑色光による像も得られる。
【００７３】
また、このように一つの光検出器３０によって検出された透過光成分Ｌ１０および反射光成分Ｌ２０の検出結果のうち、赤色光、青色光および緑色光についての個別の検出結果に基づいてガラス板Ｗに存在する欠点に関する情報を取得するため、透過光（第一検査光Ｌ１）および反射光（第二検査光Ｌ２）の２種類の光を用いて少なくとも３種類の情報が得られる。これにより、複雑な構成の検査装置を用いることなく、被検査物に含まれる欠点の種類を高精度に検出できる。
【００７４】
なお、一つの光検出器３０や同一の光検出器３０とは、透過光成分Ｌ１０の光と反射光成分Ｌ２０の光とを重ねて検出することを意味しており、この目的を達成できる他の構成を除外するものではない。例えば、図１において、光検出器３０がＸ方向に複数に分割されて設けられていてもよい。
【００７５】
また、本実施形態によれば、光検出器３０によって検出させる３種類の波長の光として、赤色光、緑色光および青色光の三原色を用いるため、１次元ＣＣＤカメラなどの既存の製品を用いて検査装置１００を構成できる。これにより、検査装置１００に要するコストを抑制できる。
【００７６】
また、本実施形態によれば、ガラス板Ｗで反射させる第二検査光Ｌ２として、緑色光が用いられるため、高出力の第二光源２０が得られる。一般にガラス板Ｗは光反射率が低いため、第二検査光Ｌ２の光強度に対して反射光成分Ｌ２０の光強度は数％程度となる。これに対して、高出力の第二光源２０を用いることにより反射光成分Ｌ２０の光強度を高めることができるため、光検出器３０での検出精度が高められる。
【００７７】
［第二実施形態］
次に、本発明の第二実施形態を説明する。
【００７８】
本実施形態では、第一照射パターンに赤外光（ＩＲ）が含まれる場合を例に挙げて説明する。図６（ａ）は、光検出器３０に検出される際の第一照射パターンＰ１の一部が第二照射パターンＱに重なった状態を示している。図６（ａ）に示すように、このパターンは赤色、青色、緑色および赤外光の混合光になっている。図６（ａ）には、第一照射パターンＰ１との位置関係を示すため、第二照射パターンＱの光照射領域Ｑａを一点鎖線で示している。なお第二照射パターンＱは、第一実施形態と同一構成である。
【００７９】
まずは第一実施形態と同様、第一照射パターンＰ１を第二照射パターンＱとは別個に説明する。図６（ａ）に示すように、第一照射パターンＰ１のうちＹ方向の中央に配置される中央領域Ｐｅは、赤色光および赤外光である。また、第一照射パターンＰ１のうち中央領域Ｐｅの−Ｙ側に隣接する第一の周辺領域Ｐｆと、中央領域Ｐｅの＋Ｙ側に隣接する第二の周辺領域Ｐｇとは、青色光および赤外光である。この例では、第一照射パターンＰ１の全面領域Ｐｈが赤外光を含んでいる。
【００８０】
一方、第二照射パターンＱは、帯状の緑色光である光放射領域Ｑａを有している。ここで、第一照射パターンＰ１の一部と第二照射パターンＱとが重なった状態について説明する。第一照射パターンＰ１の中央領域Ｐｅは、第二照射パターンＱの光放射領域Ｑａの一部に重なっている。また、第一の周辺領域Ｐｆのうち＋Ｙ側の一部は、光放射領域Ｑａの−Ｙ側の一部に重なっている。さらに、第二の周辺領域Ｐｇのうち−Ｙ側の一部は、光放射領域Ｑａの＋Ｙ側の一部に重なっている。
【００８１】
この場合、中央領域Ｐｅと光放射領域Ｑａの一部とが重なった第一領域５１と、第一の周辺領域Ｐｆの一部と光放射領域Ｑａの一部とが重なった第二領域５２と、第二の周辺領域Ｐｇの一部と光放射領域Ｑａの一部とが重なった第三領域５３と、第一の周辺領域Ｐｆのうち光放射領域Ｑａとは重ならない第四領域５４と、第二の周辺領域Ｐｇのうち光放射領域Ｑａとは重ならない第五領域５５とが形成される。
【００８２】
第一領域５１は、赤色光と緑色光とを加法混合した場合の混合色光（黄色光）および赤外光である。第二領域５２および第三領域５３は、青色光と緑色光とを加法混合した場合の混合色光（シアンの光）および赤外光である。第四領域５４および第五領域５５は、青色光および赤外光である。
【００８３】
次に、図６（ｂ）〜図６（ｄ）を参照して、ガラス板Ｗには各波長の光毎に異なる照射パターンが照射されていることを説明する。以下では、説明のために、ラインカメラで撮像した場合ではなく、便宜的にエリアカメラで全面領域Ｐｈの全体を撮像した場合について説明する。
【００８４】
図６（ｂ）は、赤色光の波長感度を持つ撮像素子で第一照射パターンＰ１の全面領域Ｐｈを撮像した場合に得られる画像（以下、「赤チャンネル画像３４」と表記する。）を示している。図６（ｃ）は、青色光の波長感度を持つ撮像素子で全面領域Ｐｈを撮像した場合に得られる画像（以下、「青チャンネル画像３５」と表記する。）を示している。図６（ｄ）は、赤外光の波長感度を持つ撮像素子で全面領域Ｐｈを撮像した場合に得られる画像（以下、「赤外チャンネル画像３６」と表記する。）を示している。
【００８５】
図６（ｂ）に示すように、赤チャンネル画像３４の全面領域３４ｈのうち、第一照射パターンＰ１の中央領域Ｐｅを撮像して得られる中央領域３４ｅは明視野（Ｒ）となり、第一照射パターンＰ１の第一の周辺領域Ｐｆ、第二の周辺領域Ｐｇを撮像して得られる第一の周辺領域３４ｆ、第二の周辺領域３４ｇは暗視野となる。
【００８６】
また、図６（ｃ）に示すように、青チャンネル画像３５の全面領域３５ｈうち、第一照射パターンＰ１の中央領域Ｐｅを撮像して得られる中央領域３５ｅは暗視野となり、第一照射パターンＰ１の第一および第二の周辺領域Ｐｆ、Ｐｇを撮像して得られる第一および第二の周辺領域３５ｆ、３５ｇは明視野（Ｂ）となる。すなわち、欠点がない場合、撮像領域Ｓは常に暗視野であるが、欠点がある場合には、欠点によって撮像領域Ｓまで回折してきた青色光を検出することができる。
【００８７】
また、図６（ｄ）に示すように、赤外チャンネル画像３６は、全面領域３６ｈが明視野（ＩＲ）となる。すなわち、欠点がある場合には、赤外光によって、欠点での遮光による影を検知すると共に、赤外光特有の画像も得られる。
【００８８】
本実施形態によれば、第一照射パターンＰ１の全面領域Ｐｈから赤外光が放射されるため、赤色光、青色光および緑色光に加えて、赤外光の画像も得られる。全面領域に照射する赤外光を設けることで、欠点の核そのものを検出することができる。以上より、４種類の画像情報を欠点の判別に用いることができるため、詳細な欠点の判定が可能になる。
【００８９】
［第三実施形態］
次に、本発明の第三実施形態を説明する。
【００９０】
本実施形態では、第一照射パターンに赤外光（ＩＲ）と可視光がない暗色（黒色）が含まれる場合を例に挙げて説明する。図７（ａ）は、光検出器３０に検出される際の第一照射パターンＰ２の一部が第二照射パターンＱに重なった状態を示している。図７（ａ）に示すように、このパターンは赤色、青色、緑色および赤外光の混合光と可視光がない暗色とからなっている。なお、図７（ａ）には、第一照射パターンＰ２との位置関係を示すため、第二照射パターンＱの光照射領域Ｑａを一点鎖線で示している。なお第二照射パターンＱは、第一実施形態と同一構成である。
【００９１】
まずは第一実施形態と同様、第一照射パターンＰ２を第二照射パターンＱとは別個に説明する。図７（ａ）に示すように、第一照射パターンＰ２は、Ｙ方向に分割された中央領域Ｐｉ、第一および第二の周辺領域Ｐｊ、Ｐｋを有している。また、第一照射パターンＰ２は、Ｘ方向に分割された第一分割領域Ｐｍおよび第二分割領域Ｐｎを有している。第一分割領域Ｐｍおよび第二分割領域Ｐｎは、Ｘ方向に交互に配置されている。各第一分割領域Ｐｍおよび各第二分割領域Ｐｎは、Ｙ方向に長手の短冊状に形成されている。なお、第一分割領域Ｐｍおよび第二分割領域ＰｎのＸ方向の寸法は、互いに等しく、かつ、中央領域ＰｉのＹ方向の寸法と同等に形成されている。
【００９２】
したがって、第一照射パターンＰ２において、中央領域Ｐｉと第一分割領域Ｐｍとが重なる第一領域６１は、赤色光と青色光とを加法混合した場合の混合色光（マゼンタの光）および赤外光である。中央領域Ｐｉと第二分割領域Ｐｎとが重なる第二領域６２は、赤色光および赤外光である。第一および第二の周辺領域Ｐｊ、Ｐｋと第一分割領域Ｐｍとが重なる第三領域６３は、青色光および赤外光である。第一および第二の周辺領域Ｐｊ、Ｐｋと第二分割領域Ｐｎとが重なる第四領域６４は、可視光がない暗色である。この例では、赤外光は、中央領域Ｐｉ、第一および第二の周辺領域Ｐｊ、Ｐｋの全面を含む全面領域Ｐｌに含まれている。
【００９３】
一方、第二照射パターンＱは、帯状の緑色光である光放射領域Ｑａを有している。ここで、第一照射パターンＰ２の一部と第二照射パターンＱとが重なった状態について説明する。第一照射パターンＰ２の中央領域Ｐｉは、第二照射パターンＱの光放射領域Ｑａの一部に重なっている。また、第一の周辺領域Ｐｊのうち＋Ｙ側の一部は、光放射領域Ｑａの−Ｙ側の一部に重なっている。さらに、第二の周辺領域Ｐｋのうち−Ｙ側の一部は、光放射領域Ｑａの＋Ｙ側の一部に重なっている。
【００９４】
したがって、第一照射パターンＰ２の一部と第二照射パターンＱとが重なった状態において、中央領域Ｐｉと第一分割領域Ｐｍとが重なる第一領域６１は赤色光と青色光と緑色光とを加法混合した場合の混合色光（白色光）および赤外光であり、中央領域Ｐｉと第二分割領域Ｐｎとが重なる第二領域６２は、赤色光と緑色光とを加法混合した場合の混合色光（黄色光）および赤外光である。
【００９５】
また、第一分割領域Ｐｍの中央領域Ｐｉと重ならない第三領域６３のうち光放射領域Ｑａと重なる部分は緑色光と青色光とを加法混合した場合の混合色光（シアン光）および赤外光であり、光放射領域Ｑａとは重ならない部分は青色光および赤外光である。第二分割領域Ｐｎの中央領域Ｐｉと重ならない第３領域６４のうち、光放射領域Ｑａと重なる部分は緑色光および赤外光であり、光放射領域Ｑａと重ならない部分は可視光がない暗色（赤外光のみ）である。
【００９６】
次に、図７（ｂ）〜図７（ｄ）を参照して、ガラス板Ｗには各波長の光毎に異なる照射パターンが照射されていることを説明する。以下では、説明のために、ラインカメラで撮像した場合ではなく、便宜的にエリアカメラで全面領域Ｐｌの全体を撮像した場合について説明する。
【００９７】
図７（ｂ）は、赤色光の波長感度を持つ撮像素子で第一照射パターンＰ２を撮像した場合に得られる画像（以下、「赤チャンネル画像３７」と表記する。）を示している。図７（ｃ）は、青色光の波長感度を持つ撮像素子で第一照射パターンＰ２を撮像した場合に得られる画像（以下、「青チャンネル画像３８」と表記する。）を示している。図７（ｄ）は、赤外光の波長感度を持つ撮像素子で第一照射パターンＰ２を撮像した場合に得られる画像（以下、「赤外チャンネル画像３９」と表記する。）を示している。
【００９８】
図７（ｂ）に示すように、赤チャンネル画像３７の全面領域３７ｌのうち、第一照射パターンＰ２の中央領域Ｐｉを撮像して得られる中央領域３７ｉは明視野（Ｒ）となり、第一照射パターンＰ２の第一の周辺領域Ｐｊ、第二の周辺領域Ｐｋを撮像して得られる第一の周辺領域３７ｊ、第二の周辺領域３７ｋは暗視野となる。
【００９９】
また、図７（ｃ）に示すように、青チャンネル画像３８の全面領域３８ｌのうち、第一照射パターンＰ２の第一分割領域Ｐｍを撮像して得られる第一分割領域３８ｍは明視野（Ｂ）となり、第一照射パターンＰ２の第二分割領域Ｐｎを撮像して得られる第二分割領域３８ｎは暗視野となる。
【０１００】
また、図７（ｄ）に示すように、赤外チャンネル画像３９は、全面領域３９ｌが明視野（ＩＲ）となる。
【０１０１】
本実施形態によれば、青色光が第一分割領域Ｐｍおよび第二分割領域Ｐｎによって屈折および回折されることになるため、第一実施形態で説明されたような気泡欠点や異物等のみならず、主としてＸ方向に光を屈折させる欠点についても検出することが可能となる。ここで、「主としてＸ方向に光を屈折させる欠点」とは、ガラス内部の局所的な不均質箇所およびガラス内部のＹ方向に連続した不均質箇所等、光の屈折に方向性を持った欠点が挙げられる。
【０１０２】
また、光検出器で検出される第一分割領域Ｐｍおよび第二分割領域Ｐｎの幅の伸縮によって、ガラス内部のある一定の大きさを持った不均質部分、およびそれに由来したガラス表面の変形から成る欠点の評価が可能となる。
【０１０３】
なお、本実施形態では、透過光の一つである青色光が第一分割領域Ｐｍおよび第二分割領域Ｐｎを有する例を示したが、これに限定されない。反射光側の照射パターンに第一分割領域Ｐｍおよび第二分割領域Ｐｎを設けても良い。
【０１０４】
また、本実施形態では、第一分割領域Ｐｍおよび第二分割領域Ｐｎの長手方向は、撮像領域Ｓの長手方向に対して垂直に交わる角度となるように配置したが、これに限定されない。すなわち、撮像領域Ｓの長手方向と交点を持つような角度であれば良い。好ましくは、第一分割領域Ｐｍおよび第二分割領域Ｐｎの長手方向と撮像領域Ｓの長手方向の交点の周囲に形成される４つの角度の全てが、好ましくは４５°以上、さらに好ましくは６０°以上、さらに好ましくは７５°以上であることが望ましい。
【０１０５】
また、本実施形態によれば、赤色光、青色光および緑色光に加えて、赤外光の画像も得られることから、４種類の画像情報を欠点の判別に用いることができる。よって、詳細な欠点の判定が可能になる。
【０１０６】
また、第二、第三実施形態では、欠点の核そのものを検出するために、全面領域に照射する赤外光を設けたが、本実施形態に限定されない。例えば、図７（Ｃ）では、第二分割領域３８ｎは完全な暗視野として説明したが、第二分割領域３８ｎは完全な暗視野とせずに、第一分割領域Ｐｍおよび第二分割領域Ｐｎの明暗の差を小さくしても良い。第一分割領域Ｐｍでの青色光の強度を１００％としたとき、第二分割領域Ｐｎでは２０％以上９０％以下、より好ましくは４０％以上７０％以下とすることが好ましい。このようにすることで、前述の第一分割領域Ｐｍおよび第二分割領域Ｐｎを備えることによる効果と、光を全面領域に照射することによる効果の両者を得ることができる。
【０１０７】
なお、このような第一分割領域Ｐｍおよび第二分割領域Ｐｎの明暗の差を小さくする照射パターンは、フィルムの第二分割領域３８ｎの部分にも薄い着色を行うことにより、実現できる。
【０１０８】
本発明の技術範囲は上記実施形態に限定されるものではなく、本発明の趣旨を逸脱しない範囲で適宜変更を加えることができる。
【０１０９】
例えば、上記実施形態においては、透過光成分Ｌ１０が赤色光および青色光の２種類の波長の光を含み、反射光成分Ｌ２０が緑色光のみの１種類の波長の光を含む構成としたが、これに限られることは無い。例えば、透過光成分Ｌ１０が１種類の波長の光（例、緑色光）を含み、反射光成分Ｌ２０が２種類の波長の光（例、赤色光および青色光）を含む構成としても良い。
【０１１０】
また、例えば、上記第一実施形態では、光検出器３０の検出可能な波長の光が三原色に対応する光である例を挙げて説明し、上記第二実施形態および第三実施形態では、光検出器３０が赤外光を検出可能である例を挙げて説明したが、これに限られることは無い。例えば、光検出器３０が紫外光など、他の種類の光を検出可能な構成としてもよい。この場合、第一照射パターンＰ、Ｐ１、Ｐ２、第二照射パターンＱに加えて、紫外光のパターンを新たに追加してもよい。また、第一照射パターンＰの一部の領域、第二照射パターンＱに代えて、紫外光の照射パターンとしてもよい。
【０１１１】
また、例えば、上記第一実施形態では、第一照射パターンＰの中央領域Ｐａをマゼンタ（赤色＋青色）とし、第一および第二の周辺領域Ｐｂ、Ｐｃを青色とし、第二照射パターンＱを緑色とする構成を例に挙げて説明したが、これに限られることは無い。また、中央領域Ｐａ、第一および第二の周辺領域Ｐｂ、Ｐｃの形状が上記実施形態に記載の形状とは異なっていてもよい。また、上記実施形態では、赤色光、緑色光および青色光の照射パターンの中央位置が揃った状態となっている例を挙げて説明したが、これに限られることは無い。
【０１１２】
図８は、中央領域Ｐａ、第一および第二の周辺領域Ｐｂ、Ｐｃ、第二照射パターンＱを構成する光の色の組み合わせを示す表である。図８に示すように、三原色を組み合わせた他のパターンであっても、上記第一実施形態と同様の説明ができる。
【０１１３】
また、上記各実施形態においては、ガラス板Ｗの第二面Ｗｂで反射させる第二照射パターンＱとして、緑色光を用いた構成を例に挙げて説明したが、これに限られることはない。例えば、緑色光に代えて、他の種類の光（赤色光、青色光、赤外光、紫外光など）が用いられた構成であってもよい。また、第二照射パターンＱとして、赤色光、青色光、赤外光、紫外光などの複数種類の光のうち２種類以上の光の組み合わせが用いられた構成であってもよい。
【０１１４】
また、上記各実施形態においては、第一照射パターンＰ、Ｐ１、Ｐ２の一部に第二照射パターンＱの全部が重なった構成を例に挙げて説明したが、これに限られることはない。例えば、第一照射パターンＰ、Ｐ１、Ｐ２の全部と第二照射パターンＱの全部とが重なった構成であってもよい。また、第二照射パターンＱの一部に第一照射パターンＰ、Ｐ１、Ｐ２の全部が重なった構成であってもよい。また、第一照射パターンＰ、Ｐ１、Ｐ２の一部と第二照射パターンＱの一部とが重なった構成であってもよい。
【０１１５】
また、上記実施形態においては、青色光と赤色光とが反転した場合であっても同様の説明が可能である。
【符号の説明】
【０１１６】
１０…第一光源  ２０…第二光源  ３０…光検出器  １００…検査装置  ＣＯＮＴ…制御部  Ｗ…ガラス板  Ｗａ…第一面  Ｗｂ…第二面  Ｐ、Ｐ１、Ｐ２…第一照射パターン  Ｑ…第二照射パターン  Ｌ１０…透過光成分  Ｌ２０…反射光成分  Ｌ１…第一検査光  Ｌ２…第二検査光  Ｐａ、Ｐｅ、Ｐｉ…中央領域  Ｐｂ、Ｐｆ、Ｐｊ…第一の周辺領域  Ｐｃ、Ｐｇ、Ｐｋ…第二の周辺領域  Ｐｄ、Ｐｈ、Ｐｌ…全面領域  Ｑａ…光照射領域  Ｗ１…光入射領域  Ｗ２…光入射領域  Ｓ…撮像領域
【図１】
2014240832.tif 000003
【図２】
2014240832.tif 000004
【図３】
2014240832.tif 000005
【図４】
2014240832.tif 000006
【図５】
2014240832.tif 000007
【図６】
2014240832.tif 000008
【図７】
2014240832.tif 000009
【図８】
2014240832.tif 000010